(57)【要約】【課題】より省エネルギ化が可能な熱線センサ付自動スイッチシステムを提供する。【解決手段】熱線センサ部１と、第１入力判別部２と、操作子器２０からの伝達信号を受信する信号受信部３と、熱線センサ部１と第１入力判別部２と信号受信部３とに基づいて照明負荷４２の点灯／消灯を制御する制御部４と、制御部４からの制御信号に基づいて照明負荷４２を入切する開閉器５とを備えた熱線センサ付自動スイッチ１０と、第２入力判別部２２と、第２入力判別部２２からの操作信号に基づいて伝達信号を送信する信号送信部２３とを備えた操作子器２０と、を有する熱線センサ付自動スイッチシステム３０であり、制御部４は、照明負荷４２が点灯状態において、信号受信部３が操作子器２０から伝達信号を受信すると、点灯保持時間を短縮または開閉器５を切り制御する。【選択図】図１
2015015231.tif 000002
【特許請求の範囲】
【請求項１】
熱線センサ付自動スイッチと、操作子器とを有する熱線センサ付自動スイッチシステムであって、
前記熱線センサ付自動スイッチは、人体から発せられる熱線を検出する熱線センサ部と、手動にて操作された第１操作スイッチの操作の有無を判別する第１入力判別部と、操作子器からの伝達信号を受信する信号受信部と、前記熱線センサ部からのセンサ信号と前記第１入力判別部からの判別信号と前記信号受信部が受信した前記伝達信号とに基づいて照明負荷の点灯／消灯を制御する制御信号を出力する制御部と、該制御部からの前記制御信号に基づいて前記照明負荷への電力の供給を入切する開閉器とを備え、
前記操作子器は、手動にて操作された第２操作スイッチの操作の有無を判別する第２入力判別部と、該第２入力判別部からの操作信号に基づいて前記熱線センサ付自動スイッチへ前記伝達信号を送信する信号送信部とを備えており、
前記制御部は、前記熱線センサ部からの前記センサ信号に応じて前記照明負荷を点灯状態にさせ所定の点灯保持時間の経過後に消灯状態となるように前記開閉器を制御可能であり、前記照明負荷の点灯状態において、前記信号受信部が前記操作子器から前記伝達信号を受信すると、前記点灯保持時間を短縮または前記開閉器を切り制御することを特徴とする熱線センサ付自動スイッチシステム。
【請求項２】
前記制御部は、前記照明負荷を点灯状態にさせている場合、前記信号受信部が前記操作子器から前記伝達信号を受信すると、前記熱線センサ部からの前記センサ信号による前記開閉器の制御を所定の期間の間、禁止することを特徴とする請求項１に記載の熱線センサ付自動スイッチシステム。
【発明の詳細な説明】
【技術分野】
【０００１】
本発明は、熱線を検知して、照明負荷の点灯／消灯を制御する熱線センサ付自動スイッチシステムに関する。
【背景技術】
【０００２】
従来、照明負荷の点灯／消灯を制御する熱線センサ付自動スイッチが提供されている。
【０００３】
特許文献１に記載の熱線センサ付自動スイッチは、図２０に示す、熱線センサ１０５と、操作スイッチ１６１と、熱線センサ１０５が熱線を検知したときに照明負荷１４２を点灯させる制御部１６５とを備えている。
【０００４】
特許文献１の熱線センサ付自動スイッチでは、熱線センサ１０５が人を検知すると、制御部１６５が駆動部６５０を介して開閉素子６５１をオンさせる。熱線センサ付自動スイッチは、明るさセンサ１５０の検出した明るさが、予め設定された明るさの閾値よりも暗い状態で、熱線センサ１０５が人を検知すると、動作保持時間の間、照明負荷１４２を点灯させる。熱線センサ付自動スイッチは、動作モードとして、熱線センサ１０５により照明負荷１４２の点灯を制御するモードを有している。熱線センサ付自動スイッチは、動作モードとして、熱線センサ１０５による熱線の検知の有無に関わらず照明負荷１４２の状態を継続するモードを有している。熱線センサ付自動スイッチは、動作モードとして、動作保持時間が経過するまで照明負荷１４２の状態を保持するモードを有している。熱線センサ付自動スイッチは、操作スイッチ１６１の操作により、制御部１６５が動作モードを切り替える。
【０００５】
なお、特許文献１の熱線センサ付自動スイッチは、動作保持時間を設定する動作保持時間設定部１６２と、明るさセンサ１５０の明るさ感度レベルを設定する明るさセンサ調整部１６３とを備えている。熱線センサ付自動スイッチは、商用電源１４１を受けて動作電源を供給する直流安定化電源６５６を備えている。
【０００６】
また、特許文献２の照明システムでは、図２１に示す、各照明負荷２０２，２０３と接続する熱線センサ部付スイッチ２０１と、子器２０４および外部機器２０５とを備えている。
【０００７】
特許文献２の照明システムでは、各照明負荷２０２，２０３は、商用電源２４１からの電力が熱線センサ部付スイッチ２０１を介して供給されると点灯する。熱線センサ部付スイッチ２０１は、センサ検知部２１２を備えている。センサ検知部２１２は、人体からの熱線を検出する熱線センサ部２２０と、熱線センサ部２２０からの信号を増幅するアンプ２２１とを有している。センサ検知部２１２は、アンプ２２１からの信号に基づいて検知信号を作成する、コンパレータ部２２２および信号処理部２２３を有している。センサ検知部２１２は、電源回路部２１１および信号処理部２１３と接続され電源回路部２１１から供給される電力により動作する。外部機器２０５は、信号処理部２１３と接続し、ユーザの操作に基づく外部信号を信号処理部２１３に出力する。子器２０４は、熱線センサ部付スイッチ２０１の熱線センサ部２２０および照度センサ２２４と同様の機能を有する熱線センサ部および照度センサを備えている。子器２０４は、たとえば、熱線センサ部付スイッチ２０１を設置するだけの広さを有しない場所に設置している。設定部２１５は、点灯照度および消灯照度を可変して設定する。設定部２１５は、設定された点灯照度および消灯照度の情報を含む設定信号を信号処理部２１３に出力する。
【０００８】
信号処理部２１３は、照度センサ２２４の検出照度が点灯照度以下であると判断した場合、照明負荷２０３に対して、照度センサ２２４の検出照度が消灯照度になるまで電力を供給させる制御信号を出力駆動部２１４に出力する。信号処理部２１３は、熱線センサ部２２０の検出に関係なく、複数の照明負荷２０２，２０３のうち照明負荷２０３に対してのみ、電力を連続的に供給させる制御信号を出力する。
【０００９】
これにより特許文献２の照明システムは、照明負荷による点灯および消灯の繰り返しを防止し、照明負荷を安定に点灯させて一定の明るさを得ることができる、としている。
【先行技術文献】
【特許文献】
【００１０】
【特許文献１】特開２００８−１０９５１１号公報
【特許文献２】特開２００６−３３１８９０号公報
【発明の概要】
【発明が解決しようとする課題】
【００１１】
ところで、特許文献１の熱線センサ付自動スイッチは、操作スイッチ１６１の操作で、熱線センサ１０５により照明負荷１４２を制御するモードから熱線の検知の有無に関わらず照明負荷１４２の消灯状態を継続するモードなどへ切り替える。そのため、特許文献１の熱線センサ付自動スイッチは、一度、照明負荷１４２を消灯状態となるようにモードを設定すると、たとえば、人が玄関を出るまでの間、照明負荷１４２の消灯状態が継続された状態となり、使い勝手が悪い場合があった。特許文献１の熱線センサ付自動スイッチは、熱線センサ１０５が人を検知すると、動作保持時間の間、照明負荷１４２を点灯させるモードの場合、人が玄関を出た後も一律に動作保持時間の間、照明負荷１４２を点灯させるため、不要な電力消費を行うことになる。また、上述の特許文献２の照明システムでは、ユーザの外部機器２０５への操作により、照明負荷２０２，２０３の点灯および消灯を制御することが記載されているにしかすぎない。上述の特許文献１の熱線センサ付自動スッチや上述の特許文献２の照明システムの構成では、使い勝手を考慮した上で、上述の不要な電力消費が行われることを抑制することは記載されていない。
【００１２】
熱線センサ付自動スイッチシステムは、より省エネルギ化が求められており、上述の特許文献１の熱線センサ付自動スイッチや特許文献２の照明システムの構成だけでは十分ではなく、更なる改良が求められている。
【００１３】
本発明は上記事由に鑑みて為されたものであり、その目的は、より省エネルギ化が可能な熱線センサ付自動スイッチシステムを提供することにある。
【課題を解決するための手段】
【００１４】
本発明の熱線センサ付自動スイッチシステムは、熱線センサ付自動スイッチと、操作子器とを有している。
【００１５】
上記熱線センサ付自動スイッチは、熱線センサ部と、第１入力判別部と、信号受信部と、制御部と、開閉器とを備えている。上記熱線センサ部は、人体から発せられる熱線を検出してセンサ信号を出力する。上記第１入力判別部は、手動にて操作された第１操作スイッチの操作の有無を判別する。上記信号受信部は、上記操作子器からの伝達信号を受信する。上記制御部は、上記熱線センサ部からのセンサ信号と上記第１入力判別部からの判別信号と上記信号受信部が受信した上記伝達信号とに基づいて照明負荷の点灯／消灯を制御する制御信号を出力する。上記開閉器は、上記制御部からの上記制御信号に基づいて上記照明負荷への電力の供給を入切する。
【００１６】
上記操作子器は、第２入力判別部と、信号送信部とを備えている。上記第２入力判別部は、手動にて操作された第２操作スイッチの操作の有無を判別する。上記信号送信部は、上記第２入力判別部からの操作信号に基づいて上記熱線センサ付自動スイッチへ上記伝達信号を送信する。
【００１７】
上記熱線センサ付自動スイッチの上記制御部は、上記熱線センサ部からの上記センサ信号に応じて上記照明負荷を点灯状態にさせ所定の点灯保持時間の経過後に消灯状態となるように上記開閉器を制御するように構成される。上記制御部は、上記照明負荷の点灯状態において、上記信号受信部が上記操作子器から上記伝達信号を受信すると、上記点灯保持時間を短縮または上記開閉器を切り制御する。
【００１８】
この熱線センサ付自動スイッチシステムにおいて、上記制御部は、上記照明負荷を点灯状態にさせている場合、上記信号受信部が上記操作子器から上記伝達信号を受信することができる。この場合、上記制御部は、上記熱線センサ部からの上記センサ信号による上記開閉器の制御を、所定の期間の間、禁止することが好ましい。
【発明の効果】
【００１９】
本発明の熱線センサ付自動スイッチシステムは、照明負荷の点灯状態において、信号受信部が操作子器から伝達信号を受信すると、点灯保持時間を短縮または開閉器を切り制御することにより、より省エネルギ化が可能になるという効果がある。
【図面の簡単な説明】
【００２０】
【図１】図１は、実施形態１の熱線センサ付自動スイッチシステムの構成を示すブロック図である。
【図２】図２は、実施形態１の熱線センサ付自動スイッチシステムの動作を説明する動作説明図である。
【図３】図３は、実施形態１の熱線センサ付自動スイッチシステムにおける熱線センサ付自動スイッチを示す外観斜視図である。
【図４】図４は、実施形態１の熱線センサ付自動スイッチシステムにおける熱線センサ付自動スイッチの分解斜視図である。
【図５】図５は、実施形態１の熱線センサ付自動スイッチシステムにおける熱線センサ付自動スイッチの要部を分解した斜視説明図である。
【図６】図６は、実施形態１の熱線センサ付自動スイッチシステムにおける熱線センサ付自動スイッチの別の要部の正面図である。
【図７】図７は、図６の熱線センサ付自動スイッチのＡＡ断面図である。
【図８】図８は、図６の熱線センサ付自動スイッチのＢＢ断面図である。
【図９】図９は、図８の熱線センサ付自動スイッチの破線で囲んだ部分の拡大図である。
【図１０】図１０は、図６の熱線センサ付自動スイッチのＣＣ断面図である。
【図１１】図１１は、図１０の熱線センサ付自動スイッチの破線で囲んだ部分の拡大図である。
【図１２】図１２は、実施形態１の熱線センサ付自動スイッチシステムにおける熱線センサ付自動スイッチの他の要部を示す正面図である。
【図１３】図１３は、実施形態１の熱線センサ付自動スイッチシステムにおける熱線センサ付自動スイッチの更に別の要部を示す背面斜視図である。
【図１４】図１４は、実施形態１の熱線センサ付自動スイッチシステムにおける熱線センサ付自動スイッチの更に他の要部を示す正面図である。
【図１５】図１５は、実施形態１の熱線センサ付自動スイッチシステムにおける熱線センサ付自動スイッチを説明する正面説明図である。
【図１６】図１６は、実施形態１の熱線センサ付自動スイッチシステムにおける別の熱線センサ付自動スイッチを説明する斜視説明図である。
【図１７】図１７は、実施形態１の熱線センサ付自動スイッチシステムにおける操作子器を説明する斜視説明図である。
【図１８】図１８は、実施形態２の熱線センサ付自動スイッチシステムの動作を説明する動作説明図である。
【図１９】図１９は、実施形態３の熱線センサ付自動スイッチシステムの構成を示すブロック図である。
【図２０】図２０は、従来の熱線センサ付自動スイッチの回路ブロック図である。
【図２１】図２１は、従来の照明システムにおける熱線センサ付自動スイッチの回路ブロック図である。
【発明を実施するための形態】
【００２１】
（実施形態１）
本実施形態の熱線センサ付自動スイッチシステム３０について、図１および図２に基づいて説明する。本実施形態の熱線センサ付自動スイッチシステム３０における熱線センサ付自動スイッチ１０については、図３ないし図１６に基づいて説明する。なお、図中において、同じ部材に対しては、同じ番号を付して重複する説明を省略する。
【００２２】
本実施形態の熱線センサ付自動スイッチシステム３０は、図１に示すように、熱線センサ付自動スイッチ１０と、操作子器２０とを有している。以下において、本実施形態の熱線センサ付自動スイッチシステム３０は、本システム３０とも称する。また、熱線センサ付自動スイッチ１０は、スイッチ親器１０とも称する。
【００２３】
スイッチ親器１０は、熱線センサ部１と、第１入力判別部２と、信号受信部３と、制御部４と、開閉器５とを備えている。熱線センサ部1は、人体から発せられる熱線を検出してセンサ信号を出力する。第１入力判別部２は、手動にて操作された第１操作スイッチ２ａの操作の有無を判別する。信号受信部３は、操作子器２０からの伝達信号を受信する。制御部４は、熱線センサ部１からのセンサ信号と第１入力判別部２からの判別信号と信号受信部３が受信した伝達信号とに基づいて照明負荷４２の点灯／消灯を制御する制御信号を出力する。開閉器５は、制御部４からの制御信号に基づいて照明負荷４２への電力の供給を入切する。
【００２４】
操作子器２０は、第２入力判別部２２と、信号送信部２３とを備えている。第２入力判別部２２は、手動にて操作された第２操作スイッチ２２ａの操作の有無を判別する。信号送信部２３は、第２入力判別部２２からの操作信号に基づいてスイッチ親器１０へ伝達信号を送信する。
【００２５】
スイッチ親器１０の制御部４は、熱線センサ部１からのセンサ信号に応じて照明負荷４２を点灯状態にさせ所定の点灯保持時間の経過後に消灯状態となるように開閉器５を制御するように構成される。図２では、時刻ｔ１から時刻ｔ２を参照。制御部４は、照明負荷４２が点灯状態において、信号受信部３が操作子器２０から伝達信号を受信すると、点灯保持時間を短縮させる。
【００２６】
これにより、本システム３０は、より省エネルギ化を図ることが可能になる。
【００２７】
制御部４は、照明負荷４２を点灯状態にさせている場合、信号受信部３が操作子器２０から伝達信号を受信すると、熱線センサ部１からのセンサ信号による開閉器５の制御を、所定の期間の間、禁止することが好ましい。図２では、時刻ｔ４から時刻ｔ７を参照。
【００２８】
これにより、本システム３０は、熱線センサ部１の検知エリア内に操作子器２０が設けられていても、操作子器２０の操作をする人を検出して照明負荷４２が点灯することを抑制することが可能になる。
【００２９】
以下、本システム３０のより具体的な構成について説明する。本システム３０は、図３ないし図１６に示すスイッチ親器１０を備えている。
【００３０】
本システム３０では、図３および図４に示すスイッチ親器１０が、建築物の壁面などの施工面（図示していない）に設置された取付枠１７に取り付けられる。スイッチ親器１０は、施工面を構成する造営材に埋込配設する器体１１を備えている。スイッチ親器１０は、取付枠１７を介して、器体１１と反対側に設けられた枠状のプレート９を好適に備えている。スイッチ親器１０は、照明負荷４２の点灯と消灯とを制御可能な回路部１６を、器体１１の内部に備えている。回路部１６は、たとえば、各種の電子部品１６ａａを実装した第１の回路基板１６ａを備えている。第１の回路基板１６ａは、第１の回路基板１６ａの外形形状を矩形の平板状としている。第１の回路基板１６ａは、プリント配線板などにより形成することができる。回路部１６は、第１の回路基板１６ａと、第２の回路基板１６ｃとを備えている。回路部１６は、平板状の絶縁板１６ｂを介して、第１の回路基板１６ａと、第２の回路基板１６ｃとを対向して配置している。第２の回路基板１６ｃは、第１の回路基板１６ａと同様に、各種の電子部品１６ａａを実装している。回路部１６は、第１の回路基板１６ａと第２の回路基板１６ｃとを図示していない電線などにより電気的に接続している。第２の回路基板１６ｃは、第２の回路基板１６ｃの外形形状を矩形の平板状としている。第２の回路基板１６ｃは、プリント配線板などにより形成することができる。
【００３１】
スイッチ親器１０は、人体から発せられる熱線を検出する熱線センサ部１を備えている。熱線センサ部１は、センサ素子１ａを備えている。センサ素子１ａは、人体の存在の有無を検出可能な赤外線センサを用いて構成することができる。赤外線センサは、人体から発せられる熱線である赤外線のエネルギを検出する。赤外線センサは、焦電素子を用いることができる。スイッチ親器１０は、図４に示すように、熱線センサ部１の検出感度を設定可能な設定操作部７を備えている。設定操作部７は、設定操作部７の一部を器体１１の第１表面１１ｂｐに露出させている。スイッチ親器１０は、手動にて操作される第１操作スイッチ２ａ（図３を参照）の操作の有無を判別する第１入力判別部２を回路部１６に形成している。スイッチ親器１０は、操作子器２０からの伝達信号を受信する信号受信部３を回路部１６に形成している。スイッチ親器１０は、熱線センサ部１からのセンサ信号と第１入力判別部２からの判別信号と信号受信部３が受信した伝達信号とに基づいて照明負荷４２の点灯／消灯を制御する制御信号を出力する制御部４を回路部１６に形成している。制御部４は、マイクロコンピュータなどにより構成することができる。スイッチ親器１０は、制御部４からの制御信号に基づいて照明負荷４２への電力の供給を入切する開閉器５を回路部１６に形成している。開閉器５は、開閉素子５ａと、開閉駆動部５ｂとを備えている。制御部４は、相補的な２個のサイリスタを逆並列に接続する双方向サイリスタのような開閉素子５ａを、開閉駆動部５ｂを介してオンオフ可能に制御する。スイッチ親器１０は、商用電源４１を受けて直流定電圧を発生する直流安定化電源４ｃを回路部１６に備えている。スイッチ親器１０は、図１に示すように、商用電源４１と照明負荷４２との直列回路を電気的に接続可能に構成している。
【００３２】
回路部１６は、たとえば、熱線センサ部１、第１入力判別部２、信号受信部３や制御部４を第１の回路基板１６ａに備えた構成とすることができる。また、回路部１６は、たとえば、直流安定化電源４ｃや開閉器５を第２の回路基板１６ｃに備えた構成とすることもできる。直流安定化電源４ｃは、スイッチ親器１０の第１電源端子１１ｃ１および第２電源端子１１ｃ２を介して、商用電源４１と電気的に接続している。開閉器５は、商用電源４１を接続する第１電源端子１１ｃ１と、照明負荷４２を接続する第１負荷端子１１ｃ４との間に電気的に接続している。
【００３３】
スイッチ親器１０では、熱線センサ部１からのセンサ信号と第１入力判別部２からの判別信号と信号受信部３が受信した操作子器２０からの伝達信号とが制御部４に入力される。制御部４では、センサ信号である熱線センサ部１の出力がＡ／Ｄ変換されて入力される。制御部４は、第１入力判別部２の出力がＡ／Ｄ変換されて入力される。制御部４は、信号受信部３の出力がＡ／Ｄ変換されて入力される。制御部４は、熱線センサ部１からのセンサ信号に基づいて、予め設定された検知エリア内における人体の存否を検知し、開閉器５を制御する制御信号を出力することができる。
【００３４】
スイッチ親器１０は、周囲の明るさを検知可能な明るさセンサ１ｓを好適に備えている。明るさセンサ１ｓは、たとえば、フォトダイオードなどの受光素子を用いて構成することができる。スイッチ親器１０は、第１の回路基板１６ａに明るさセンサ１ｓの受光素子を実装している。制御部４は、明るさセンサ１ｓと電気的に接続している。明るさセンサ１ｓは、熱線センサ部１と一体的に構成してもよい。スイッチ親器１０は、図１５に示すように、制御部４の動作モードを表示するモード表示部６を好適に備えている。スイッチ親器１０は、モード表示部６を構成する複数個の発光ダイオード６ａを、第１の回路基板１６ａに実装している。ここでは、３個の発光ダイオード６ａをモード表示部６に用いている。制御部４は、モード表示部６の各発光ダイオード６ａそれぞれと電気的に接続している。
【００３５】
制御部４は、制御部４の動作モードとして、熱線センサ部１による熱線の検出の有無に関わらず、照明負荷４２を連続的に点灯させる連続点灯モードがある。図１５に示すスイッチ親器１０では、連続点灯モードを「連続入」と表示している。また、制御部４は、制御部４の動作モードとして、熱線センサ部１からのセンサ信号に応じて照明負荷４２を点灯状態にさせ所定の点灯保持時間の経過後に消灯状態にさせる自動点灯消灯モードがある。図１５に示すスイッチ親器１０では、自動点灯消灯モードを「自動」と表示している。さらに、制御部４は、制御部４の動作モードとして、熱線センサ部１による熱線の検出の有無に関わらず、照明負荷４２を消灯する強制消灯モードがある。図１５に示すスイッチ親器１０では、強制消灯モードを「切」と表示している。制御部４は、第１操作スイッチ２ａが操作される度に、連続点灯モード、自動点灯消灯モード、強制消灯モードの各モードを遷移させる。制御部４は、第１操作スイッチ２ａが操作される度に、遷移された各モードをモード表示部６に表示する。
【００３６】
制御部４は、自動点灯消灯モードにおいて、熱線センサ部１の検知エリアに人体が存在すると判断した場合、熱線センサ部１からのセンサ信号に応じて照明負荷４２を点灯状態にさせる。制御部４は、自動点灯消灯モードにおいて、熱線センサ部１からのセンサ信号に応じて照明負荷４２を点灯状態にさせてから所定の点灯保持時間の経過後に消灯状態にさせる。制御部４は、照明負荷４２が点灯する点灯保持時間を計時するためのタイマ部（図示していない）を内蔵している。制御部４は、点灯保持時間中に熱線センサ部１からセンサ信号が再入力されると、センサ信号が再入力から所定の点灯保持時間後に照明負荷４２を消灯状態にさせるように構成されている。したがって、タイマ部は、センサ信号が再入力から所定の点灯保持時間を計時できるように、リトリガブル・タイマにより構成されている。
【００３７】
制御部４は、基本的な動作として、明るさセンサ１ｓの検出した明るさが予め設定された明るさの閾値よりも暗い状態で、熱線センサ部１に入射した熱線の変化に基づいて人体を検知すると、照明負荷４２を点灯させる。なお、明るさの閾値は、たとえば、制御部４のメモリ（図示していない）に記憶させておけばよい。制御部４は、タイマ部が計時した所定の点灯保持時間の間、照明負荷４２の点灯状態を維持するように開閉器５を制御する。なお、スイッチ親器１０は、制御部４により照明負荷４２への供給電力を調節し、照明負荷４２を所望の光出力で点灯させることもできる。スイッチ親器１０は、回路部１６を器体１１の内部に収納することにより、少なくとも制御部４と開閉器５とを器体１１の内部に収納している。
【００３８】
器体１１は、図４に示すように、ボディ体１１ａとカバー体１１ｂとを備えている。ボディ体１１ａとカバー体１１ｂとは、分離可能な構成としている。器体１１は、直方体状であって、有底角筒状のボディ体１１ａと、有底角筒状のカバー体１１ｂとで構成している。ボディ体１１ａとカバー体１１ｂとは、ボディ体１１ａとカバー体１１ｂとを嵌め合わせて内部が空洞な箱状体を構成している。ボディ体１１ａは、電気絶縁性の樹脂材料により形成している。ボディ体１１ａは、電気絶縁性の樹脂材料として、たとえば、ユリア樹脂などを用いて形成することができる。ボディ体１１ａは、たとえば、加熱溶融させた電気絶縁性の樹脂材料を金型内に射出注入し、冷却固化させる射出成形により一体成形品として形成することができる。カバー体１１ｂは、電気絶縁性の樹脂材料により形成している。カバー体１１ｂは、電気絶縁性の樹脂材料として、たとえば、ユリア樹脂などを用いて形成することができる。カバー体１１ｂは、たとえば、加熱溶融させた電気絶縁性の樹脂材料を金型内に射出注入し、冷却固化させる射出成形により一体成形品として形成することができる。
【００３９】
なお、スイッチ親器１０は、器体１１の寸法を埋込型配線器具の１個のモジュールの３個分に相当する１連のモジュールの大きさとしている。器体１１は、正面視が長方形状の器体１１の短手方向の寸法を、埋込配線器具用の取付枠１７における第１窓孔１７ａａの短手方向の寸法より若干小さい大きさとしている。
【００４０】
ボディ体１１ａは、カバー体１１ｂ側と嵌め合わせるための係合突起部１１ａｃを備えている。係合突起部１１ａｃは、ボディ体１１ａの上下側（図４の紙面の上下側）それぞれの短手方向に沿って２個１組で設けている。ボディ体１１ａは、第１電源端子１１ｃ１、第２電源端子１１ｃ２、第１負荷端子１１ｃ４、第２負荷端子１１ｃ３、第１接続端子１１ｃ５や第２接続端子１１ｃ６となる端子１１ｃを収納する。すなわち、スイッチ親器１０は、図示していない電線が接続される端子１１ｃを備えている。端子１１ｃは、電線にばねの力を付与する錠ばね１１ｃａと、錠ばね１１ｃａを収容する端子板１１ｃｂとを備えている。端子１１ｃは、電線が挿入されると、電線と電気的に接続し端子板１１ｃｂと錠ばね１１ｃａとで電線が固定できるように構成している。錠ばね１１ｃａは、金属材料により構成された板材の折り曲げ加工により形成することができる。錠ばね１１ｃａの金属材料としては、たとえば、銅や銅合金などを用いることができる。同様に、端子板１１ｃｂは、金属材料により構成された板材の折り曲げ加工により形成することができる。端子板１１ｃｂの金属材料としては、たとえば、銅や銅合金などを用いることができる。すなわち、端子１１ｃは、絶縁被覆が剥がされた電線における芯線が挿入される速結端子を構成している。
【００４１】
カバー体１１ｂは、カバー体１１ｂの上下側（図４の紙面の上下側）それぞれの短手方向に沿って、ボディ体１１ａ側に突出する一対の突出片１１ｂｃ，１１ｂｃを備えている。突出片１１ｂｃは、有底角筒状のカバー体１１ｂにおける筒状部位に対して弾性変形が可能な構成としている。カバー体１１ｂは、筒状部位と突出片１１ｂｃとを一体成形により形成することができる。突出片１１ｂｃは、外形がＣ字状となっており、筒状部位から突出して外部に露出する部位に係合孔１１ｂｆを形成している。カバー体１１ｂは、突出片１１ｂｃの係合孔１１ｂｆと、ボディ体１１ａの係合突起部１１ａｃとを嵌め合わせ可能に構成している。
【００４２】
カバー体１１ｂは、ボディ体１１ａの係合突起部１１ａｃと、係合突起部１１ａｃに対応する係合孔１１ｂｆとをそれぞれ嵌め合わせさせることによって、カバー体１１ｂをボディ体１１ａ側に位置決めして固定することができる。すなわち、器体１１は、ボディ体１１ａとカバー体１１ｂとを嵌め合わせて構成している。カバー体１１ｂは、カバー体１１ｂの短手方向における側壁１１ｂｂに、側壁１１ｂｂから突出する取付爪１１ｂｄを備えている。カバー体１１ｂは、取付枠１７の器具取付孔１７ａｂと、取付爪１１ｂｄとを嵌め合わせ可能としている。
【００４３】
カバー体１１ｂは、カバー体１１ｂの側壁１１ｂｂに、一対の取付爪１１ｂｄ，１１ｂｄが突設された部位の両側部に２本の切込溝１１ｂｇ，１１ｂｇが厚み方向に沿って設けている。カバー体１１ｂは、一対の取付爪１１ｂｄ，１１ｂｄの間の部位に、厚み方向に可撓性を有する撓み片１１ｂｅを設けている。カバー体１１ｂは、撓み片１１ｂｅをカバー体１１ｂの内側に撓ませることが可能に構成している。
【００４４】
取付枠１７は、取付枠１７を構成する側片１７ａに配線器具を取り付け可能な器具取付孔１７ａｂを備えている。取付枠１７は、カバー体１１ｂの取付爪１１ｂｄを器具取付孔１７ａｂに係合させることにより、器体１１を取付枠１７に保持することができる。器体１１は、器体１１を取付枠１７に取り付ける際、たとえば、カバー体１１ｂの一方の側壁１１ｂｂの取付爪１１ｂｄを、取付枠１７の一方の器具取付孔１７ａｂに挿入する。なお、取付枠１７は、図４に示した枠状の金属体を用いた構成だけでなく、器体１１を取り付けることができれば、種々の構成とすることができる。次に、器体１１は、他方の側壁１１ｂｂの取付爪１１ｂｄを、カバー体１１ｂの内側に撓むようにして、取付枠１７の第１窓孔１７ａａにカバー体１１ｂを挿入する。器体１１は、取付枠１７に埋め込まれるように挿入した後、カバー体１１ｂの他方の側壁１１ｂｂの取付爪１１ｂｄを、取付枠１７の他方の器具取付孔１７ａｂに挿入する。器体１１は、取付爪１１ｂｄが器具取付孔１７ａｂに挿入されることにより、器体１１が取付枠１７に保持される。また、スイッチ親器１０においては、器体１１を取付枠１７から取り外す場合、撓み片１１ｂｅをカバー体１１ｂの内側に押し込むようにする。スイッチ親器１０は、撓み片１１ｂｅの撓みにより、取付爪１１ｂｄが器具取付孔１７ａｂから抜けて取付枠１７から器体１１を取り外すことができる。
【００４５】
なお、取付枠１７は、取付枠１７を構成する枠片１７ｂに、固定螺子１８を挿通するための長孔１７ａｃを備えている。取付枠１７は、それぞれの長孔１７ａｃに挿通された固定螺子１８が、たとえば、施工面に埋設された埋込ボックス（図示していない）のねじ部に螺合されることにより、取付枠１７を施工面側に固定することができる。取付枠１７は、枠片１７ｂにプレート螺子用のねじ孔１７ａｄを備えている。取付枠１７は、図示していないが、取付枠１７の表面側で、矩形枠状のプレート枠（図示していない）とプレート螺子（図示していない）を用いてねじ止めされる。プレート枠は、プレート枠の表面側にプレート９が着脱自在に取着される。プレート９は、矩形板状に形成している。プレート９は、合成樹脂により形成することができる。
【００４６】
プレート９は、取付枠１７の第１窓孔１７ａａよりも長寸かつ幅広の第２窓孔９ａａを備えている。同様に、プレート枠は、取付枠１７の第１窓孔１７ａａよりも長寸かつ幅広の孔を備えている。スイッチ親器１０は、第１操作スイッチ２ａが、手動操作部２ａ１を備えている。手動操作部２ａ１は、図３、図４、図５および図１５に示すように、プレート９の第２表面９ａｂと略同一面となる蓋部２ｇを備えている。手動操作部２ａ１は、プレート９の枠内に、設定操作部７を覆う蓋部２ｇを配置している。手動操作部２ａ１は、図４、図５、図１１および図１２に示すように、蓋部２ｇを取り外し可能に保持するハンドル部２ｆを備えている。スイッチ親器１０は、図５および図１２に示すように、プレート９の第２表面９ａｂから手動操作部２ａ１の蓋部２ｇを取り外すことで、設定操作部７が外部に露出するように、ハンドル部２ｆに開口部２ｆ１を形成している。手動操作部２ａ１は、図１３に示すように、蓋部２ｇの四隅に爪部位２ｇ３を備えている。手動操作部２ａ１は、図５、図１０、図１１および図１２に示すように、蓋部２ｇの爪部位２ｇ３と対応するハンドル部２ｆの位置に係止孔２ｆ２を備えている。手動操作部２ａ１は、蓋部２ｇの爪部位２ｇ３を、ハンドル部２ｆの係止孔２ｆ２に引っ掛けて止められるように、着脱自在に構成している。
【００４７】
カバー体１１ｂは、カバー体１１ｂの上側（図４の紙面の上側）において、平面視が円形状の第３窓孔１１ｂｈおよび第４窓孔１１ｂｉを備えている。カバー体１１ｂは、カバー体１１ｂの中央部において、カバー体１１ｂの短手方向に沿って、平面視が矩形状の第５窓孔１１ｂｊを３個備えている。カバー体１１ｂは、カバー体１１ｂの下側（図４の紙面の下側）において、カバー体１１ｂにおける第１表面１１ｂｐ側から外方に突出する突台部１１ｂｋを備えている。カバー体１１ｂは、突台部１１ｂｋに開口１１ｂｍを備えている。
【００４８】
さらに、カバー体１１ｂは、手動操作部２ａ１のハンドル部２ｆを回転可能に取り付けるため、平面視において、カバー体１１ｂにおける第１表面１１ｂｐの一方の側壁側（図４の紙面の左側）に突出した軸部１１ｂｎを備えている。軸部１１ｂｎは、カバー体１１ｂの長手方向に沿って円柱状に形成している。カバー体１１ｂは、図８および図９に示すように、カバー体１１ｂの軸部１１ｂｎが金属製の板ばね２ｄにより手動操作部２ａ１のハンドル部２ｆ側に押し圧される。言い換えれば、手動操作部２ａ１は、手動操作部２ａ１のハンドル部２ｆと板ばね２ｄとでカバー体１１ｂの軸部１１ｂｎを狭持して、カバー体１１ｂ側に保持されている。また、カバー体１１ｂは、図４および図１４に示すように、平面視において、カバー体１１ｂにおける第１表面１１ｂｐの中央部で端部が保持され、他端側（図４の右側）の先端がＴ字状となるように周部が切り欠かれた撓み部１１ｂｒを備えている。撓み部１１ｂｒは、ハンドル部２ｆからの押し圧により、器体１１の内部に撓むように構成している。
【００４９】
第１操作スイッチ２ａは、手動にて押される手動操作部２ａ１を備えている。第１操作スイッチ２ａは、手動操作部２ａ１のハンドル部２ｆの一端部が器体１１側に支持され他端部が揺動自在に押操作可能なピアノハンドルとなっている。すなわち、第１操作スイッチ２ａは、ピアノハンドル式のスイッチを構成している。ピアノハンドル式のスイッチは、スイッチ本体２ａａの前面側に取り付けられたピアノハンドルを、ピアノハンドルの一方の側端部を支点にして他方側が押圧して回転される構成とすることができる。ピアノハンドル式のスイッチは、ピアノハンドルでスイッチ本体２ａａのスイッチ機構を押圧作動可能なスイッチである。ピアノハンドル式のスイッチは、ピアノハンドルのピアノタッチ操作でスイッチ操作を行うことができる。
【００５０】
手動操作部２ａ１は、図７に示すように、カバー体１１ｂにおける第１表面１１ｂｐ側に設けられ操作子２ａｃと対向する部位に設けられたＴ字状の撓み部１１ｂｒと当接可能に構成している。手動操作部２ａ１は、図８に示すように、器体１１側に支持された状態で、手動操作部２ａ１の背面側が撓み部１１ｂｒと当接可能としている。スイッチ親器１０は、ユーザが手動操作部２ａ１を押操作すると、手動操作部２ａ１がカバー体１１ｂ側に押される。スイッチ親器１０は、手動操作部２ａ１への押操作により、撓み部１１ｂｒを介して、手動操作部２ａ１が器体１１の内部の操作子２ａｃを押す。スイッチ親器１０は、操作子２ａｃが押されると第１操作スイッチ２ａがオンとなる。第１操作スイッチ２ａは、たとえば、スイッチ本体２ａａの操作子２ａｃが押される度にオンとオフとが反転する位置保持型スイッチを用いることができる。位置保持型スイッチは、プッシュロックスイッチやプッシュオン／プッシュオフ・スイッチなどを用いることができる。スイッチ親器１０は、押圧する力が手動操作部２ａ１からなくなると、手動操作部２ａ１が操作子２ａｃの反力などを受けて元の位置に復帰する構成とすることができる。スイッチ親器１０は、手動操作部２ａ１が元の位置に復帰すると、第１操作スイッチ２ａがオフとなる。なお、スイッチ親器１０は、図１０および図１３に示すように、正面視が長方形状の手動操作部２ａ１において、手動操作部２ａ１の短手方向の中央部に複数個（ここでは、３個）の導光部材６ａａが背面側に突出している。
【００５１】
蓋部２ｇは、押し圧される一表面２ａｂ側に設けられた矩形平板状の表板２ｇ１と、カバー体１１ｂ側となる一表面２ａｂの反対側に設けられた裏板２ｇ２とを備えている。表板２ｇ１は、透光性を有しカバー体１１ｂ側に突出する導光部材６ａａと一体的に形成している。手動操作部２ａ１は、熱線センサ部１の突出部位１ｋと重なるように設けられた取手部２ａ２を備えている。取手部２ａ２は、指を引っ掛けて蓋部２ｇの取り外しを行い易いように引掛凹所２ａ３を設けている。手動操作部２ａ１は、手動操作部２ａ１の蓋部２ｇから突出する導光部材６ａａが嵌め込まれる透孔２ｃａを手動操作部２ａ１のハンドル部２ｆに備えている。スイッチ親器１０は、手動操作部２ａ１から突出する導光部材６ａａを、カバー体１１ｂの第５窓孔１１ｂｊに挿脱可能に構成している。導光部材６ａａは、透孔２ｃａに嵌め込んだ状態で手動操作部２ａ１の背面側に取着される。導光部材６ａａは、透光性を有する合成樹脂で形成することができる。スイッチ親器１０は、器体１１内に設けた発光ダイオード６ａからの照射光を手動操作部２ａ１に保持された導光部材６ａａを介して、外部に出射することができる。
【００５２】
発光ダイオード６ａは、たとえば、発光色や点灯状態によって、スイッチ親器１０の動作モードを表示可能なモード表示部６を構成する。スイッチ親器１０では、照明負荷４２を連続的に点灯させる連続点灯モードで駆動させることができる。また、スイッチ親器１０では、熱線センサ部１からのセンサ信号に応じて照明負荷４２を点灯状態にさせ所定の点灯保持時間の経過後に消灯状態にする自動点灯消灯モードで駆動させることができる。さらに、スイッチ親器１０では、照明負荷４２を消灯する強制消灯モードで駆動させることができる。スイッチ親器１０では、制御部４は、手動操作部２ａ１への押操作により、連続点灯モードと、自動点灯消灯モードと、強制消灯モードとの各モードを切り替える。制御部４は、切り替えられた各モードを手動操作部２ａ１に設けたモード表示部６に表示することができる。
【００５３】
制御部４は、複数個の発光ダイオード６ａと各別に電気的に接続している。制御部４は、複数個の発光ダイオード６ａの点灯を各モードそれぞれに対応して各別に制御する。モード表示部６は、各モードそれぞれに対応する発光ダイオード６ａからの発光で各モードを各別に表示することができる。より具体的には、スイッチ親器１０は、強制消灯モードの場合、たとえば、３つの発光ダイオード６ａのうち、短手方向の一方側（図１５の紙面の左側）に設けた発光ダイオード６ａが点灯する。スイッチ親器１０は、たとえば、３つの発光ダイオード６ａのうち、短手方向の一方側に設けた発光ダイオード６ａを赤色に点灯させればよい。スイッチ親器１０は、自動点灯消灯モードの場合、たとえば、短手方向の中央部に設けた発光ダイオード６ａが点灯する。スイッチ親器１０は、たとえば、３つの発光ダイオード６ａのうち、短手方向の中央部に設けた発光ダイオード６ａを緑色に点灯させればよい。スイッチ親器１０は、所定の点灯保持時間の間、中央部に設けた発光ダイオード６ａを緑色に点滅させてもよい。スイッチ親器１０は、所定の点灯保持時間の残存時間が少なくなるにつれ、中央部に設けた発光ダイオード６ａの点滅間隔を短くさせてもよい。スイッチ親器１０は、連続点灯モードの場合、たとえば、３つの発光ダイオード６ａのうち、短手方向の他方側（図１５の紙面の右側）に設けた発光ダイオード６ａが点灯する。スイッチ親器１０は、たとえば、３つの発光ダイオード６ａのうち、短手方向の他方側の発光ダイオード６ａを青色に点灯させればよい。
【００５４】
スイッチ親器１０は、器体１１の第１表面１１ｂｐ側に枠状のプレート９を取り付けている。プレート９は、化粧プレートとなる。スイッチ親器１０は、プレート９の枠内の第２窓孔９ａａに第１操作スイッチ２ａの手動操作部２ａ１を配置している。また、スイッチ親器１０は、手動操作部２ａ１の下側（図３および図４の紙面の下側）に化粧カバー１ｄを備えている。化粧カバー１ｄは、カバー体１１ｂの開口１１ｂｍに対向する位置に開口窓部１ｄｂを備えている。化粧カバー１ｄは、開口窓部１ｄｂに突台部１１ｂｋを挿通している。化粧カバー１ｄは、手動操作部２ａ１の一表面２ａｂおよびプレート９の第２表面９ａｂよりも突出する突部１ｄｋを備えている。突部１ｄｋは、突台部１１ｂｋを保護するように、円弧状の形状をしている。
【００５５】
熱線センサ部１は、たとえば、焦電素子などを有するセンサ素子１ａを備え、予め設定された検知エリア内に存在する人体からの熱線を検出可能に構成することができる。熱線センサ部１のセンサ素子１ａは、回路部１６の第１の回路基板１６ａに実装することができる。
【００５６】
スイッチ親器１０は、センサ素子１ａをセンサカバー１ａａで覆っている。センサカバー１ａａは、外形が半円筒状としている。熱線センサ部１は、人体から発せられる熱線を、センサカバー１ａａを介してセンサ素子１ａが検出する。センサカバー１ａａは、赤外線を集光するフレネルレンズを構成してもよい。スイッチ親器１０は、器体１１のカバー体１１ｂと回路部１６との間でセンサカバー１ａａを挟持し、器体１１の内部にセンサカバー１ａａを収納している。
【００５７】
スイッチ親器１０は、器体１１のカバー体１１ｂとセンサカバー１ａａとの間に一対のシャッター１ｂ，１ｂを備えている。各シャッター１ｂは、外形が弧状の基部１ｂａと、基部１ｂａの一端から立設する取手部位１ｂｂとを一体に備えている。各シャッター１ｂは、センサカバー１ａａの表面に沿って可動自在に構成している。各シャッター１ｂは、センサカバー１ａａの一部を覆うことができる。各シャッター１ｂは、取手部位１ｂｂを操作することによって、基部１ｂａを移動させることができる。熱線センサ部１は、各シャッター１ｂの基部１ｂａを移動させることにより、熱線センサ部１が人体を検出する検出領域を調整することができる。スイッチ親器１０は、熱線センサ部１の検出領域を調整して、人体の検知エリアの最適化を行うことが可能となる。
【００５８】
第１の回路基板１６ａは、複数個（ここでは、３個）の発光ダイオード６ａを実装している。モード表示部６は、発光ダイオード６ａからの発光を外部に放出させる導光部材６ａａを備えている。導光部材６ａａは、ハンドル部２ｆの透孔２ｃａに嵌め込まれている。手動操作部２ａ１は、器体１１の第１表面１１ｂｐに露出する設定操作部７を覆っている。手動操作部２ａ１は、手動操作部２ａ１の一表面２ａｂとプレート９の第２表面９ａｂとを面一としている。導光部材６ａａは、手動操作部２ａ１が器体１１の設定操作部７を覆った状態で、器体１１側の発光ダイオード６ａと対応するように配置している。
【００５９】
スイッチ親器１０は、第１の回路基板１６ａに信号受信部３を構成する電子部品を実装している。また、第１の回路基板１６ａは、制御部４を構成する電子部品を実装している。さらに、第１の回路基板１６ａは、ヒューズ、異常発熱抑制のための温度ヒューズや漏電防止用のリレーなどの各種の電子部品を実装してもよい。第１の回路基板１６ａは、開閉器５として、主スイッチ素子を構成する開閉素子５ａと、開閉素子５ａの駆動を制御する開閉駆動部５ｂとを実装している。第１の回路基板１６ａは、直流安定化電源４ｃを実装することができる。また、第１の回路基板１６ａは、発光ダイオード６ａ、コンデンサ、抵抗やリレーなどの電子部品を実装している。第１の回路基板１６ａには、図示していない所定形状の配線を形成しており、各種の電子部品と電気的に接続できるように構成している。発光ダイオード６ａは、たとえば、赤色発光、緑色発光、青色発光の点灯や点滅の区別により、連続点灯モード、自動点灯消灯モード、強制消灯モードをモード表示部６で表示することができる。また、発光ダイオード６ａは、本システム３０における信号受信部３の受信状態などを表示することもできる。
【００６０】
回路部１６は、手動操作部２ａ１で押駆動される操作子２ａｃを有する第１操作スイッチ２ａのスイッチ本体２ａａを第１の回路基板１６ａに実装している。回路部１６は、点灯保持時間設定部７ａを構成するボリュームなどを第１の回路基板１６ａに実装している。スイッチ親器１０では、点灯保持時間設定部７ａにより、照明負荷４２の点灯保持時間を設定することができる。回路部１６は、明るさセンサ調整部７ｂを構成するロータリボリュームなどを第１の回路基板１６ａに実装している。スイッチ親器１０では、明るさセンサ調整部７ｂにより、明るさセンサ１ｓが検知する明るさの感度を設定することができる。スイッチ親器１０は、回路部１６を器体１１に収納している。
【００６１】
スイッチ親器１０は、手動操作部２ａ１の押圧により、器体１１の内部側に撓んだ撓み部１１ｂｒがスイッチ本体２ａａの操作子２ａｃを押駆動する。
【００６２】
点灯保持時間設定部７ａは、たとえば、ボリュームの操作軸を回転できるように第１ツマミ７ａ１を備えている。点灯保持時間設定部７ａは、器体１１の第３窓孔１１ｂｈを介して、点灯保持時間設定部７ａの第１ツマミ７ａ１を器体１１の第１表面１１ｂｐ側に突出させている。点灯保持時間設定部７ａは、自動点灯消灯モードにおいて、照明負荷４２を点灯させる点灯保持時間を設定可能に構成している。スイッチ親器１０は、プレート９の第２表面９ａｂと略同一面に設置された手動操作部２ａ１を取り外すと、設定操作部７が露出する。
【００６３】
スイッチ親器１０は、たとえば、１０秒から３０分までの範囲や３０秒から３０分までの範囲で点灯保持時間を適宜に設定することができる。スイッチ親器１０は、点灯保持時間設定部７ａにより、照明負荷４２の点灯保持時間を適宜に調整することが可能となる。明るさセンサ調整部７ｂは、たとえば、ロータリボリュームの操作軸を回転できるように第２ツマミ７ｂ１を備えている。明るさセンサ調整部７ｂは、器体１１の第４窓孔１１ｂｉを介して、明るさセンサ調整部７ｂの第２ツマミ７ｂ１を器体１１の第１表面１１ｂｐ側に突出させている。明るさセンサ調整部７ｂは、たとえば、明るさセンサ１ｓの明るさ感度レベルを「暗め」から「明るめ」までの範囲で設定することができる。明るさ感度レベルの「暗め」としては、たとえば、５  ｌｘ以下とすることができる。明るさ感度レベルの「明るめ」としては、たとえば、１００  ｌｘ以上とすることができる。スイッチ親器１０は、たとえば、明るさセンサ調整部７ｂを「切」に設定すると、明るさセンサ１ｓの機能を停止させることができる。スイッチ親器１０は、明るさセンサ調整部７ｂを「切」に設定した場合、スイッチ親器１０の周囲が明るいときに宅内の照明負荷４２を点灯させることを防止することが可能となる。スイッチ親器１０は、周囲が明るいときに宅内の照明負荷４２を点灯させることを防止し、省エネルギ化を図ることが可能となる。
【００６４】
スイッチ親器１０は、たとえば、明るさセンサ調整部７ｂで、明るさの閾値を調整することにより、結果として、熱線センサ部１が人の存在の有無を検知する検出感度が設定されたのと同様の効果を得ることができる。すなわち、スイッチ親器１０では、明るさセンサ調整部７ｂは、熱線センサ部１の検出感度を設定する設定操作部７を構成する。なお、スイッチ親器１０は、熱線センサ部１の検出感度を直接的に調整して設定する設定操作部７を備えていてもよい。スイッチ親器１０は、たとえば、設定操作部７に基づいて熱線センサ部１で検出した熱線の変化量を増幅する際の増幅度を調整することで、熱線センサ部１の検出感度を直接的に調整することができる。なお、スイッチ親器１０は、図３ないし図１５で図示した構成だけに限られず、種々の形状に形成することができる。図１６に示すスイッチ親器１０は、図３に示すスイッチ親器１０と比較して、施工面から突出する器体１１の部分がより小さくできる取付枠１７に取り付けている。図１６に示すスイッチ親器１０では、器体１１の撓み部１１ｂｒに対応する蓋部２ｇの表面に突条部２ｇ４を設けている。スイッチ親器１０では、蓋部２ｇの突条部２ｇ４を、ユーザが手動操作部２ａ１への押し圧する操作時の目印とすることができる。
【００６５】
次に、本システム３０におけるスイッチ親器１０の動作について、図２を用いて詳述する。
【００６６】
スイッチ親器１０は、自動点灯消灯モードの場合、熱線センサ部１が熱線の変化を時刻ｔ１で検出すると、熱線センサ部１がセンサ信号を出力する。スイッチ親器１０は、熱線センサ部１からのセンサ信号に基づいて、制御部４が開閉器５を制御して照明負荷４２を点灯状態にさせる。スイッチ親器１０では、制御部４のタイマ部が熱線センサ部１からのセンサ信号を受信してから所定の時間が経過するまでタイマ部のカウンタの値を徐々に少なくする。所定の時刻は、図２の時刻ｔ１から時刻ｔ２を参照。スイッチ親器１０は、タイマ部のカウンタの値が「０」になる時刻ｔ２後、制御部４が開閉器５を制御して照明負荷４２を消灯状態にする。言い換えれば、スイッチ親器１０は、予め設定した点灯保持時間が経過するまで、照明負荷４２を点灯させる。
【００６７】
次に、スイッチ親器１０では、自動点灯消灯モードの場合、時刻ｔ１と同様に、熱線センサ部１が熱線の変化を時刻ｔ３で検出すると、熱線センサ部１がセンサ信号を出力する。スイッチ親器１０は、熱線センサ部１からのセンサ信号に基づいて、制御部４が開閉器５を制御して照明負荷４２を点灯状態にさせる。スイッチ親器１０は、自動点灯消灯モードの場合、照明負荷４２が点灯状態において、操作子器２０から伝達信号を時刻ｔ４で信号受信部３が受信すると、点灯保持時間を短縮する。スイッチ親器１０は、熱線センサ部１からのセンサ信号により制御部４が照明負荷４２を点灯状態にする時刻ｔ３からタイマ部のカウンタの値が「０」になる時刻ｔ５よりも前の時刻ｔ４で、制御部４が開閉器５を制御して照明負荷４２を消灯状態にする。すなわち、スイッチ親器１０は、時刻ｔ３から時刻ｔ５までの点灯保持時間を、時刻ｔ３から時刻ｔ４までに短縮している。
【００６８】
また、スイッチ親器１０は、操作子器２０から伝達信号を信号受信部３が受信すると、熱線センサ部１からのセンサ信号による開閉器５の制御を所定の期間の間、禁止するマスク期間１Ｍを設けている。スイッチ親器１０は、所定の期間として、たとえば、５秒のマスク期間１Ｍを制御部４に設定することができる。スイッチ親器１０は、マスク期間１Ｍの間、照明負荷４２の消灯状態を維持する。スイッチ親器１０の制御部４は、たとえば、マスク期間１Ｍ中において、時刻ｔ６で熱線センサ部１からセンサ信号を受けても照明負荷４２の消灯状態を継続させる。スイッチ親器１０は、時刻ｔ７でマスク期間１Ｍの経過後、熱線センサ部１からのセンサ信号に応じて照明負荷４２を点灯可能なように自動点灯消灯モードに復帰する。
【００６９】
スイッチ親器１０は、第１操作スイッチ２ａが操作される度に、連続点灯モードと、自動点灯消灯モードと、強制消灯モードとを切り替える。モード表示部６は、連続点灯モードで「連続入」を表示する。モード表示部６は、自動点灯消灯モードで「自動」を表示する。モード表示部６は、強制消灯モードで「切」を表示する。スイッチ親器１０では、動作モードの切り替えに応じて、「切」、「自動」、「連続入」の順で各モードを遷移させることを繰り返している。
【００７０】
本システム３０は、たとえば、熱線センサ部１の検知エリア内に操作子器２０が設けられていても、操作子器２０を人が操作して照明負荷４２を消すことができる。システム３０は、自動点灯消灯モードにおいて、照明負荷４２を点灯する点灯保持時間を短縮する。本システム３０は、熱線センサ部１が操作子器２０を操作する人を検知して照明負荷４２を点灯することなく、省エネルギ化を図ることが可能となる。
【００７１】
以下、本システム３０に用いられる各構成について、より詳細に説明する。
【００７２】
本システム３０は、スイッチ親器１０と、操作子器２０とを備える。
【００７３】
スイッチ親器１０は、熱線センサ部１を備えている。熱線センサ部１は、人体の存在の有無を検知可能としている。スイッチ親器１０は、人体の存在の有無に基づいて、照明負荷４２への給電と給電の停止とを行うために、人感センサなどの熱線センサ部１を備えている。熱線センサ部１は、たとえば、人体からの熱線である赤外線のエネルギを検出することにより人体の存在を検知する赤外線センサを用いることができる。熱線センサ部１は、随時に赤外線を検出する構成でもよいし、設定時間ごとに赤外線を検出する構成としてもよい。赤外線センサは、たとえば、焦電素子などを有するセンサ素子１ａを備えた構成とすればよい。熱線センサ部１は、たとえば、ＣｄＳやフォトダイオードなどの明るさセンサ１ｓと一体に構成し、明るさセンサ１ｓによって周囲の明るさを検知可能に構成してもよい。熱線センサ部１は、回路部１６の第１の回路基板１６ａに、センサ素子１ａを実装することができる。熱線センサ部１は、所定の視野角を確保するために第１操作スイッチ２ａの正面よりも突出した突出部位１ｋを備えている。
【００７４】
第１入力判別部２は、第１操作スイッチ２ａからの出力信号が入力されるように構成している。第１操作スイッチ２ａは、手動にて押すことにより、スイッチ動作を行うことが可能に構成している。第１入力判別部２は、第１操作スイッチ２ａからの出力信号が入力される。第１入力判別部２は、第１操作スイッチ２ａのスイッチ動作により、操作を判断可能としている。
【００７５】
信号受信部３は、操作子器２０からの伝達信号を受信可能に構成している。信号受信部３は、操作子器２０からの伝達信号を有線で受信してもよい。信号受信部３は、操作子器２０からの伝達信号を有線で受信するだけに限られず、各種波長の電波や可視光通信などを利用して無線で受信してもよい。
【００７６】
制御部４は、少なくとも熱線センサ部１からのセンサ信号と、第１入力判別部２からの判別信号と、信号受信部３が受信した伝達信号とに基づいて照明負荷４２の点灯／消灯の制御が可能としている。制御部４は、給電側と照明負荷４２側との間の電気的な接続と電気的な接続解除とを行うように制御する。制御部４は、相補的な２個のサイリスタを逆並列に接続する双方向サイリスタなどの半導体スイッチ素子の導通および非導通を制御する機能を有している。制御部４は、たとえば、ＣＰＵ（Central Processing Unit）などを用いて構成することができる。
【００７７】
開閉器５は、制御部４からの制御信号に基づいて照明負荷４２を点灯または消灯可能としている。開閉器５は、商用電源４１を接続する第１電源端子１１ｃ１と、照明負荷４２を接続する第１負荷端子１１ｃ４との間に電気的に接続している。開閉器５は、半導体スイッチ素子を主スイッチ素子とする電子スイッチの他、可動接点および固定接点を備えた機械スイッチなどにより構成してもよい。
【００７８】
設定操作部７は、熱線センサ部１の検出感度を設定可能としている。設定操作部７は、熱線センサ部１の検出感度を設定可能な機能以外を持たせてもよい。設定操作部７は、自動点灯消灯モードにおける点灯保持時間を設定することができる操作部を備えていてもよい。また、設定操作部７は、自動点灯消灯モードにおけるマスク期間１Ｍを設定することができる操作部を備えていてもよい。すなわち、設定操作部７は、操作子器２０からの伝達信号を受信して短縮する点灯保持時間の長さを適宜に調整することもできる。
【００７９】
操作子器２０は、スイッチ親器１０を操作可能に構成している。操作子器２０は、スイッチ親器１０を制御する伝達信号を送信してスイッチ親器１０を操作する。操作子器２０は、スイッチ親器１０を制御する伝達信号を送信できればよい。したがって、操作子器２０は、手動にて操作された第２操作スイッチ２２ａの操作の有無を判別する第２入力判別部２２と、第２入力判別部２２からの操作信号に基づいて信号送信部２３を制御する子器制御部２４とを備えた構成とすることができる。操作子器２０は、第２入力判別部２２からの操作信号に基づいて、スイッチ親器１０へ伝達信号を送信する信号送信部２３を制御する子器制御部２４を備えていてもよい。操作子器２０は、有線で伝達信号をスイッチ親器１０へ送信してもよいし、無線で伝達信号をスイッチ親器１０へ送信してもよい。操作子器２０は、図１７に示すように、たとえば、第２入力判別部２２と、信号送信部２３と、子器制御部２４とを内部に収納可能な箱体２１を備えた構成とすることができる。箱体２１は、スイッチ親器１０の器体１１の取付爪１１ｂｄと同様の構造とし、取付枠１７に取り付けられるように構成することができる。操作子器２０は、箱体２１の前面を被覆する覆部２２ｇを備えている。覆部２２ｇは、ピアノハンドル式のスイッチを構成する第２操作スイッチ２２ａのピアノハンドルとして用いることができる。
【００８０】
システム３０では、たとえば、スイッチ親器１０から離れた人が操作子器２０を操作することで、照明負荷４２側への給電および給電の停止を行うことができる。スイッチ親器１０は、内部の信号受信部３が操作子器２０からの伝達信号を受信し、信号受信部３と電気的に接続された制御部４が操作子器２０からの伝達信号に基づき照明負荷４２側への給電と給電の停止とを切替える。スイッチ親器１０は、たとえば、自動点灯消灯モードにおいて照明負荷４２側への給電を停止させている場合、操作子器２０からの伝達信号により照明負荷４２への給電を行うことができる。すなわち、スイッチ親器１０の制御部４は、自動点灯消灯モードにおいて、操作子器２０からの伝達信号により照明負荷４２を点灯させる。制御部４は、操作子器２０からの伝達信号により照明負荷４２を点灯させてから所定の点灯保持時間の経過後に消灯する。また、制御部４は、操作子器２０からの伝達信号により照明負荷４２を所定の点灯保持時間の間、点灯状態にさせている場合、熱線センサ部１からのセンサ信号の入力により所定の点灯保持時間を再び新たに計時する構成としてもよい。制御部４は、熱線センサ部１からのセンサ信号の入力から所定の点灯時間経過後に照明負荷４２を消灯させることができる。
【００８１】
（実施形態２）
本実施形態の熱線センサ付自動スイッチシステム３０は、図１および図２に示す実施形態１と同様の構成であって、実施形態１における点灯保持時間を短縮する代わりに、操作子器２０からの伝達信号の受信で開閉器５を直ちに切り制御する点が主として相違する。なお、実施形態１と同様の構成要素については、同一の符号を用いて適宜説明を省略する。
【００８２】
本システム３０は、実施形態１のスイッチ親器１０における制御部４の制御を異ならせただけで、図１に示す実施形態１と同じ構成としている。
【００８３】
スイッチ親器１０の制御部４は、熱線センサ部１からのセンサ信号に応じて照明負荷４２を点灯状態にさせ所定の点灯保持時間の経過後に消灯状態となるように開閉器５を制御する。制御部４は、照明負荷４２を点灯状態にさせている場合、信号受信部３が操作子器２０から伝達信号を受信すると、開閉器５を切り制御する。本システム３０では、スイッチ親器１０の制御部４が開閉器５を切り制御することで、照明負荷４２が消灯状態となる。
【００８４】
これにより、本システム３０は、より省エネルギ化を図ることが可能になる。
【００８５】
以下では、本システム３０におけるスイッチ親器１０の動作について、図１８を用いて詳述する。本システム３０におけるスイッチ親器１０は、時刻ｔ２１から時刻ｔ２３まで、実施形態１におけるスイッチ親器１０の時刻ｔ１から時刻ｔ３の動作と同様に機能している。
【００８６】
次に、スイッチ親器１０は、自動点灯消灯モードの場合、照明負荷４２が点灯状態において、操作子器２０から伝達信号を時刻ｔ２４で信号受信部３が受信すると、点灯保持時間にかかわらず照明負荷４２を消灯状態にする。スイッチ親器１０は、熱線センサ部１からのセンサ信号により制御部４が照明負荷４２を点灯状態にする時刻ｔ２３から時刻ｔ２５よりも前の時刻ｔ２４で、制御部４が開閉器５を直ちに制御して照明負荷４２を消灯状態にする。
【００８７】
スイッチ親器１０は、操作子器２０から伝達信号を信号受信部３が受信すると、熱線センサ部１からのセンサ信号による開閉器５の制御を所定の期間の間、禁止するマスク期間２Ｍを設けていることが好ましい。マスク期間２Ｍは、実施形態１のマスク期間１Ｍと同じ時間に設定することができる。スイッチ親器１０は、たとえば、照明負荷４２を消灯状態にした時刻ｔ２４から時刻ｔ２８までのマスク期間２Ｍ中において、時刻ｔ２６で熱線センサ部１からセンサ信号を制御部４が受けても照明負荷４２の消灯状態を継続させる。これにより、スイッチ親器１０は、マスク期間２Ｍの間、照明負荷４２の消灯状態を維持することができる。なお、スイッチ親器１０は、マスク期間２Ｍの経過後において、熱線センサ部１からのセンサ信号に応じて照明負荷４２を点灯可能なように自動点灯消灯モードに復帰する。
【００８８】
また、スイッチ親器１０は、たとえば、照明負荷４２を消灯状態にした時刻ｔ２４から時刻ｔ２８までのマスク期間２Ｍ中に、時刻ｔ２７で操作子器２０から伝達信号を信号受信部３が受信すると、制御部４が照明負荷４２を点灯状態にさせる。言い換えれば、本システム３０では、制御部４は、熱線センサ部１が人体からの熱線を検出されても照明負荷４２を点灯させない。また、システム３０では、制御部４は、マスク期間２Ｍ中であっても操作子器２０からの伝達信号を、熱線センサ部１からのセンサ信号や第１入力判別部２からの判別信号に優先させて照明負荷４２の点灯／消灯の制御に利用している。
【００８９】
これにより、本システム３０は、自動点灯消灯モードにおいて、照明負荷４２の点灯／消灯を制御することができる。本システム３０は、熱線センサ部１が操作子器２０を操作する人を検知した場合であっても、照明負荷４２を不必要に点灯させることなく、省エネルギ化を図ることが可能となる。また、本システム３０は、たとえば、熱線センサ部１の検知エリア内に操作子器２０が設けられていても、人が操作子器２０を操作して照明負荷４２を消すことができる。なお、本システム３０は、実施形態１の構成要素を適宜に利用してもよい。
【００９０】
（実施形態３）
図１９に示す本実施形態の熱線センサ付自動スイッチシステム３０は、図１の実施形態１と同様の構成であって、操作子器２０に加えてセンサ子器４０を備えた点が主として相違する。なお、実施形態１と同様の構成要素については、同一の符号を用いて適宜説明を省略する。
【００９１】
本システム３０は、操作子器２０およびセンサ子器４０を、スイッチ親器１０と電気的に接続している。センサ子器４０は、第３熱線センサ部４５と、信号制御部４４と、検出信号送信部４３とを備えている。第３熱線センサ部４５は、人体の存在の有無を検出可能としている。第３熱線センサ部４５は、スイッチ親器１０の熱線センサ部１と同様の構成とすることができる。信号制御部４４は、第３熱線センサ部４５からの第３センサ信号に基づいて検出信号送信部４３を制御する。検出信号送信部４３は、信号制御部４４の制御により、スイッチ親器１０へ検出信号を送信する。センサ子器４０は、有線で検出信号をスイッチ親器１０へ送信してもよいし、無線で検出信号をスイッチ親器１０へ送信してもよい。
【００９２】
本システム３０では、スイッチ親器１０の熱線センサ部１における検知エリア外の位置にセンサ子器４０を設けることができる。センサ子器４０は、第３熱線センサ部４５の検出エリアで人を検出した場合、信号制御部４４が検出信号送信部４３を制御して検出信号を出力する。スイッチ親器１０は、内部の信号受信部３がセンサ子器４０からの検出信号を受信し、信号受信部３と電気的に接続された制御部４がセンサ子器４０からの検出信号に基づき照明負荷４２を点灯状態とすることができるように構成している。
【００９３】
スイッチ親器１０は、たとえば、自動点灯消灯モードにおいて照明負荷４２側への給電を停止させている場合、センサ子器４０からの検出信号により照明負荷４２への給電を行うことができる。すなわち、スイッチ親器１０の制御部４は、自動点灯消灯モードにおいて、センサ子器４０からの検出信号により照明負荷４２を点灯させる。制御部４は、センサ子器４０からの検出信号により照明負荷４２を点灯させてから所定の点灯保持時間の経過後に消灯する。また、制御部４は、センサ子器４０からの検出信号により照明負荷４２を所定の点灯保持時間の間、点灯状態にさせている場合、熱線センサ部１からのセンサ信号の入力により所定の点灯保持時間を再び新たに計時する。制御部４は、熱線センサ部１からのセンサ信号の入力から所定の点灯時間経過後に照明負荷４２を消灯させることができる。なお、スイッチ親器１０では、信号受信部３が信号電圧の違いで操作子器２０からの伝達信号とセンサ子器４０からの検出信号とを判別できるように構成している。なお、本システム３０は、実施形態１や実施形態２の構成要素を適宜に利用してもよい。
【符号の説明】
【００９４】
１  熱線センサ部
２  第１入力判別部
２ａ  第１操作スイッチ
３  信号受信部
４  制御部
５  開閉器
１０  熱線センサ付自動スイッチ
２０  操作子器
２２  第２入力判別部
２２ａ  第２操作スイッチ
２３  信号送信部
３０  熱線センサ付自動スイッチシステム
４２  照明負荷
【図１】
2015015231.tif 000003
【図２】
2015015231.tif 000004
【図３】
2015015231.tif 000005
【図４】
2015015231.tif 000006
【図５】
2015015231.tif 000007
【図６】
2015015231.tif 000008
【図７】
2015015231.tif 000009
【図８】
2015015231.tif 000010
【図９】
2015015231.tif 000011
【図１０】
2015015231.tif 000012
【図１１】
2015015231.tif 000013
【図１２】
2015015231.tif 000014
【図１３】
2015015231.tif 000015
【図１４】
2015015231.tif 000016
【図１５】
2015015231.tif 000017
【図１６】
2015015231.tif 000018
【図１７】
2015015231.tif 000019
【図１８】
2015015231.tif 000020
【図１９】
2015015231.tif 000021
【図２０】
2015015231.tif 000022
【図２１】
2015015231.tif 000023